(57)【要約】      （修正有）【課題】掘削船のような一般商船の船型を備える船舶に設けられる水中マウンティングアジマススラスタに適合した平板型水密装置及びその搭載方法を提供する。【解決手段】掘削船のような一般商船の船型を備えた船舶の船体に固定部１を設置し、上記固定部の上面に脱着部２を設置して水密構造を形成することで、マウンティングアジマススラスタを取り付けるための水密作業の際に、船舶内の別途の空間を設置せずに、既存の狭い空間でも水密装置を容易に搭載でき、その上、水密装置のサイズと重さが小さくてハンドリング時の人命事故及び装備破損の危険が格段に低減する。【選択図】図１４
2013052863.tif 000002
【特許請求の範囲】
【請求項１】
掘削船のような一般商船の船型を備えた船舶の船体に固定設置され、円柱側面形状のボディ内部に水中マウンティングアジマススラスタの設置上部を覆いかぶせる固定部と、
前記固定部の上面に脱着が可能なように設置され、平板形状のボディが前記固定部と結合して水密構造を形成する脱着部と、
を含むことを特徴とする水中マウンティングアジマススラスタの平板型水密装置。
【請求項２】
前記脱着部は円形の平板形状であることを特徴とする請求項１に記載の水中マウンティングアジマススラスタの平板型水密装置。
【請求項３】
前記脱着部はボディが中間及び左右両側面に三等分されることを特徴とする請求項１又は２に記載の水中マウンティングアジマススラスタの平板型水密装置。
【請求項４】
前記脱着部と前記固定部との間にＯリングを挿入してボルト及びナットを用いて水密構造を形成することを特徴とする請求項１に記載の水中マウンティングアジマススラスタの平板型水密装置。
【請求項５】
水中マウンティングアジマススラスタの平板型水密装置の搭載方法であって、
掘削船のような一般商船の船型を備えた船舶の船体に固定部を設置するステップと、
前記固定部の上面に脱着部を設置して水密構造を形成するステップと、
を有することを特徴とする方法。
【請求項６】
前記脱着部は円形の平板形状であることを特徴とする請求項５に記載の搭載方法。
【請求項７】
前記脱着部は、ボディの三等分された中間及び左右両側面を任意の順序で択一して前記固定部の上面に設置することを特徴とする請求項５に記載の搭載方法。
【請求項８】
前記脱着部と前記固定部との間にＯリングを挿入してボルト及びナットを用いて水密構造を形成することを特徴とする請求項５に記載の搭載方法。
【発明の詳細な説明】
【技術分野】
【０００１】
本発明は、掘削船（ｄｒｉｌｌ  ｓｈｉｐ）のような一般商船の船型を備えた船舶に設けられる水中マウンティングアジマススラスタ（Ｕｎｄｅｒｗａｔｅｒ  ｍｏｕｎｔｉｎｇ  ａｚｉｍｕｔｈ  ｔｈｒｕｓｔｅｒ）に適した平板型水密（ｗａｔｅｒｔｉｇｈｔｎｅｓｓ）装置及びその搭載方法に関するものである。
【背景技術】
【０００２】
一般的に、船舶の推進装置の中で旋回方式の電気駆動式推進装置の一種であるアジマススラスタは、図１及び図２に示すように、船舶の推進と操舵機能ともを有する装置である。このアジマススラスタは、主機関と分離設置が可能なので、船舶内の区画配置の柔軟性が増加し、機関室の容積減少及び貨物倉の容積増加の効果があり、自体回転による調整性能が容易な長所を持っている。
【０００３】
一方、水中マウンティングアジマススラスタは、掘削船、シャトルタンカー（ｓｈｕｔｔｌｅ  ｔａｎｋｅｒ）、ＦＰＳＯなどに設けられる主推進装置又はコンピュータによる自動位置制御（ｄｙｎａｍｉｃ  ｐｏｓｉｔｉｏｎｉｎｇ）のための推進装置であって、水面下で設置されるという特徴を有する。これは、多年間１箇所で作業を行うべき海洋装備（ｏｆｆｓｈｏｒｅ  ｆａｃｉｌｉｔｙ）がその作業を中断することなく、水中で直ちに水中マウンティングアジマススラスタを交替できることで、経済性に優れているため近年頻繁に用いられている。
【０００４】
このような水中マウンティングアジマススラスタの一般的な水面下での設置方法は、次のように２つに分けられる。
【０００５】
一つは、図３乃至図６に示すように、水深の深い所で、海水面５０でクレーン船（ｃｒａｎｅ  ｂａｒｇｅ）３０又は本船１０のクレーンを用いて水中マウンティングアジマススラスタ２０を海水面５０の下方に下降させた後、水中マウンティングアジマススラスタ２０が設置される本船１０から供給されるスチールワイヤロープ（ｓｔｅｅｌ  ｗｉｒｅ  ｒｏｐｅ）６０と連結して本船１０で、ワイヤロープで引き上げて設置する方法である。
【０００６】
もう一つは、図７乃至図９に示すように、一定の水深を有する場所の海底面４０に水中マウンティングアジマススラスタ２０を安着させ、本船１０をこの安着させた水中マウンティングアジマススラスタ２０の上方に移動させた後、本船から供給されるスチールワイヤロープを水中マウンティングアジマススラスタ２０に接続して本船１０のワイヤロープで引き上げて設置する方法である。
【０００７】
このように水中マウンティングアジマススラスタを水面下で設置するためには、水中マウンティングアジマススラスタの脱着の際に船舶内部の水密性を維持することが最も重要である。従来からは、図１０乃至図１２に示すように、ドーム（ｄｏｍｅ）状の水密装置８０を船舶の水中マウンティングアジマススラスタの脱着部に搭載することによって、水中マウンティングアジマススラスタの設置の際に船舶内部の水密性を維持した。
【０００８】
ところで、掘削船のような一般商船の船型を備えた船舶の場合、半潜水船（ｓｅｍｉｓｕｂｍｅｒｓｉｂｌｅ）のような他の海洋装備に比べて機動性には優れるが、それに反して水中マウンティングアジマススラスタを設置する空間が相対的に狭い空間的制約がある。このように空間的制約がある掘削船などの船舶に水中マウンティングアジマススラスタを適用すると、次のような短所が発生する。
【０００９】
１．ドーム状の水密装置の搭載空間の狭小
推進及び操舵機能を同時に遂行する水中マウンティングアジマススラスタは、掘削船などの船舶の船尾に付着されるが、図１３に示すように、一般的にスケグ（ｓｋｅｇ）状の構造物に取り付けられる。したがって、一般的なルーム（ｒｏｏｍ）形態の区画（ｃｏｍｐａｒｔｍｅｎｔ）に比べて使用可能な空間が少なくてドーム状の水密装置８０を搭載するのが困難となる。
【００１０】
また、一旦水中マウンティングアジマススラスタの付近にドーム状の水密装置８０を搭載するとしても、狭い空間に搭載するため、作業時にドーム状の水密装置８０の移動に制約が発生する。このような問題に対して、モーターの配置を垂直に上げてドーム状の水密装置８０が通る道を設けることによって搭載空間の狭小問題を解決しようとするが、この場合、動力伝達軸の長さが長くなってモーターと水中マウンティングアジマススラスタとの間の軸整列（ｓｈａｆｔ  ａｌｉｇｎｍｅｎｔ）が難しくなり、動力伝達の効率が減少するという短所を招く。
【００１１】
２．ドーム状の水密装置のハンドリング問題
ドーム状の水密装置８０のサイズが水中マウンティングアジマススラスタに従って変わるが、一般的に使用されるドーム状の水密装置８０は、約１トンの重さと、約２ｍの直径及び５００ｍｍの高さのサイズとを有すると知られている。また、ドーム状の水密装置８０は、圧力を十分に耐えるように厚い鋼板（ｓｔｅｅｌ  ｐｌａｔｅ）を用いて一体型に製造される。したがって、上述したように狭い空間でこのような重量物をハンドリング（ｈａｎｄｌｉｎｇ）することは、周辺装備の破損と人命事故の危険を常に伴う。
【００１２】
３．供給業者の過度仕様
従来の水中マウンティングアジマススラスタ供給業者がドーム状の水密装置８０を設計する基準対象は、喫水（ｄｒａｆｔ）が大きい半潜水船タイプの海洋装備である。この場合、水中マウンティングアジマススラスタが設けられる水深はおよそ３０〜４０ｍであり、水圧は３〜４ｂａｒである。しかしながら、掘削船などの船舶の最大喫水は、およそ１０ｍ前後に水中マウンティングアジマススラスタが設置されて運用される水深は、それより低くて水圧が１ｂａｒ未満である場合が多い。すなわち、掘削船のような船舶内で要求される水中マウンティングアジマススラスタの水密圧力は、従来のドーム状の水密装置８０が保証する水密圧力をはるかに下回るので、従来の供給業者が提供するドーム状の水密装置８０は、掘削船のような船舶に適用するのに非常に過度な仕様を有するという問題があった。
【発明の概要】
【発明が解決しようとする課題】
【００１３】
したがって、上記した従来技術の問題点を解決するために、本発明の目的は、掘削船のような一般商船の船型を備えた船舶に設けられる水中マウンティングアジマススラスタに適合した平板型水密装置及びその搭載方法を提供することにある。
【課題を解決するための手段】
【００１４】
上記のような目的を達成するために、本発明の一態様によれば、掘削船のような一般商船の船型を備えた船舶の船体に固定設置され、円柱側面形状のボディ内部に水中マウンティングアジマススラスタの設置上部を覆いかぶせる固定部と、上記固定部の上面に脱着が可能なように設置され、平板形状のボディが上記固定部と結合して水密構造を形成する脱着部とを含むことを特徴とする水中マウンティングアジマススラスタの平板型水密装置が提供される。
【００１５】
この場合、上記脱着部はボディが中間及び左右両側に三等分されることを特徴とする。
【００１６】
また本発明の他の態様によれば、水中マウンティングアジマススラスタの平板型水密装置の搭載方法であって、掘削船のような一般商船の船型を備えた船舶の船体に固定部を設置するステップと、上記固定部の上面に脱着部を設置して水密構造を形成するステップとを有する。
【００１７】
この場合、上記脱着部は、三等分されたボディの中間及び左右両側面を任意の順序で択一して固定部の上面に設置することを特徴とする。
【発明の効果】
【００１８】
本発明は、掘削船のような一般商船の船型を備えた船舶に水中マウンティングアジマススラスタを取り付けるための水密作業の際に、船舶内の別途の空間を設置せずに、既存の狭い空間でも水密装置を容易に搭載でき、その上、水密装置のサイズと重さが小さくてハンドリング時の人命事故及び装備破損の危険性を格段に低減させる効果がある。
【図面の簡単な説明】
【００１９】
【図１】一般的なアジマススラスタを示す図である。
【図２】一般的なアジマススラスタを示す図である。
【図３】水中マウンティングアジマススラスタを水面下で設置する方法を示す図である。
【図４】水中マウンティングアジマススラスタを水面下で設置する方法を示す図である。
【図５】水中マウンティングアジマススラスタを水面下で設置する方法を示す図である。
【図６】水中マウンティングアジマススラスタを水面下で設置する方法を示す図である。
【図７】水中マウンティングアジマススラスタを水面下で設置する方法を示す図である。
【図８】水中マウンティングアジマススラスタを水面下で設置する方法を示す図である。
【図９】水中マウンティングアジマススラスタを水面下で設置する方法を示す図である。
【図１０】従来のドーム状の水密装置を示す図である。
【図１１】従来のドーム状の水密装置を示す図である。
【図１２】従来のドーム状の水密装置を示す図である。
【図１３】水中マウンティングアジマススラスタが掘削船のような船舶の船尾に取り付けられる場合を示す図である。
【図１４】本発明による平板型水密装置を示す立体図である。
【図１５】本発明による平板型水密装置を示す側断面図である。
【図１６】本発明による平板型水密装置の平面図である。
【図１７】本発明による平板型水密装置の数値解析のためのモデリングを示す図である。
【図１８】本発明による平板型水密装置の数値解析のためのモデリングを示す図である。
【図１９】本発明による平板型水密装置のエアーテスト仕様書を示す図である。
【発明を実施するための形態】
【００２０】
以下、本発明の望ましい実施形態を添付の図面を参照して詳細に説明する。
【００２１】
図面において、同一の構成要素に対してはできるだけ同一の参照符号及び参照番号を付して説明する。下記の説明で、本発明に関連した公知の機能又は構成に関する具体的な説明が本発明の要旨を不明にすると判断された場合に、その詳細な説明を省略する。
【００２２】
＜水中マウンティングアジマススラスタの平板型水密装置＞
図１４乃至図１６は、本発明による平板型水密装置を示す。
【００２３】
本発明は、掘削船のような一般商船の船型を備えた船舶に設けられる水中マウンティングアジマススラスタに適合した平板型水密装置を提供することを目的とし、そのような目的を達成するために、固定部１及び脱着部２を含んでなる。
【００２４】
本発明による平板型水密装置は、水圧の面では理想的であるが、搭載時には空間上の多くの制約を受ける従来の一体型に製造されたドーム状の水密装置８０を平板型のスチールカバー（ｓｔｅｅｌ  ｃｏｖｅｒ）で製造し、これを三等分することによって船舶内搭載時の効率を極大化する。
【００２５】
本発明による平板型水密装置の一つの構成要素である固定部１は、掘削船のような一般商船の船型を備えた船舶の船体（ｈｕｌｌ）７に固定設置され、この状態で円柱の側面形状のボディ内部に水中マウンティングアジマススラスタ２０の設置上部を覆いかぶせる。
【００２６】
本発明による平板型水密装置の他の構成要素である脱着部２は、好ましくは円形の平板形状を有するスチールカバーであって、固定部１の上面に脱着が可能なように設置され、平板形状のボディが固定部１と結合して水密構造を形成する。
【００２７】
この場合、本発明の望ましい実施形態によると、脱着部２と固定部１との間にＯリング（ｏ−ｒｉｎｇ）５を挿入し、ボルト及びナット６を用いて水密構造を形成する。掘削船のような船舶の最大喫水（ｍａｘ  ｄｒａｆｔ）は、およそ１０ｍ前後であり、水中マウンティングアジマススラスタ２０が設置されて運用される水深は、それより低くて水圧が１ｂａｒ未満である場合が多いので、上述したように脱着部２及び固定部１の結合構造でも十分に１ｂａｒ程度の水密圧力を確保することができる。
【００２８】
一方、本発明によると、固定部１が船体７に固定設置された状態でカバーである脱着部２のみを固定部１の上面に結合して水密構造を形成することができ、それによって従来の一体型で製造されたドーム状の水密装置８０全体を一度にハンドリングしなければならない場合に比べて、作業者の負担が格段に減少する。
【００２９】
さらに、本発明の望ましい実施形態によると、脱着部２は、ボディが中間３及び左右量側面４に三等分されることで、作業者は、このように三等分された中間３及び左右量側面４を任意の順序で択一して固定部１の上面に設置できるため、船舶内の搭載時に作業効率を一層向上させることができる。
【００３０】
このように本発明によると、掘削船のような一般商船の船型を備えた船舶に水中マウンティングアジマススラスタ２０を設置するための水密作業時に船舶内の別途の空間を備えることなく、既存の狭い空間内でも水密装置を容易に搭載できる。また、脱着部２は、従来の一体型に製造されたドーム状の水密装置８０に比べて重さが１／３〜１／５まで減少し、サイズも半分以上縮小することによって、本発明による平板型水密装置のサイズと重さが全体的に小さくなるので、ハンドリング時の人命事故及び装備破損の危険性も一層低減するようになる。
【００３１】
一方、本発明の実施形態では、本発明による平板型水密装置の信頼性を確保するために数値解析による理論的検証とエアーテストを通じる実際検証を実施する。図１７及び図１８は本発明による平板型水密装置の数値解析のためのモデリング状態を、図１９は本発明による平板型水密装置のエアーテスト仕様書を、各々示す。
【００３２】
数値解析の際には、船体７を含む本発明による平板型水密装置全体のモデリングを遂行する。このとき、数値解析条件（ａｎａｌｙｓｉｓ  ｃｏｎｄｉｔｉｏｎ）として、水圧は０．７５ｂａｒ（ｎｏｂｌｅ  ｄｒｉｌｌ  ｓｈｉｐ基準）、安全係数（ｓａｆｅｔｙ  ｆａｃｔｏｒ）は２、Ａ級スチール（Ａ  ｇｒａｄｅ  ｓｔｅｅｌ）を使用するので、降伏強度（ｙｉｅｌｄ  ｓｔｒｅｎｇｔｈ）は２３５Ｎ／ｍｍ２である。数値解析の結果、脱着部２の真中と脱着部２を締結するボルト部分でストレス（ｓｔｒｅｓｓ）が集中され、その値では１０４Ｎ／ｍｍ２となることを確認し得る。これは、基準である２３５Ｎ／ｍｍ２に比べて低い値であって、理論的には本発明による平板型水密装置が安全であることを証明するものである。
【００３３】
一方、本発明の実施形態において、水密テストは、脱着部２を固定部１に設置した後に実際にエアーを注入して実施する。本テストの紹介（ｉｎｓｔｒｕｃｔｉｏｎ）及び手順は、図１９に示す。本テストは、船主及び船級の立会いの下に実施し、そのテスト結果、水密が全く確保されることを確認できる。
【００３４】
＜水中マウンティングアジマススラスタの平板型水密装置の搭載方法＞
本発明は、上述した水中マウンティングアジマススラスタの平板型水密装置の搭載方法であって、掘削船のような一般商船の船型を備えた船舶の船体７に固定部１を設置するステップと、固定部１の上面に脱着部２を設置して水密構造を形成するステップとを有する水中マウンティングアジマススラスタの平板型水密装置の搭載方法を提供する。一方、この詳細な説明は、上記した説明と同様であるため、重複的な説明を省略する。
【００３５】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【符号の説明】
【００３６】
１  固定部
２  脱着部
３  脱着部の三等分された中間ボディ
４  脱着部の三等分された左右両側面ボディ
５  Ｏリング
６  ボルト及びナット
７  船舶の船体
１０  船舶
２０  水中マウンティングアジマススラスタ
３０  ロードアウトバージ、プローティングドッグ又はこれに類似したバージ船
４０  海底面
５０  海水面
６０  スチールワイヤロープ
７０  水中マウンティングアジマススラスタ定盤（ｓｕｒｆａｃｅ  ｐｌａｔｅ）
８０  従来のドーム状の水密装置
【図１】
2013052863.tif 000003
【図２】
2013052863.tif 000004
【図３】
2013052863.tif 000005
【図４】
2013052863.tif 000006
【図５】
2013052863.tif 000007
【図６】
2013052863.tif 000008
【図７】
2013052863.tif 000009
【図８】
2013052863.tif 000010
【図９】
2013052863.tif 000011
【図１０】
2013052863.tif 000012
【図１１】
2013052863.tif 000013
【図１２】
2013052863.tif 000014
【図１３】
2013052863.tif 000015
【図１４】
2013052863.tif 000016
【図１５】
2013052863.tif 000017
【図１６】
2013052863.tif 000018
【図１７】
2013052863.tif 000019
【図１８】
2013052863.tif 000020
【図１９】
2013052863.tif 000021